(57)【要約】【課題】モバイル・クラウドサービス管理装置【解決手段】従来技術では、ハイブリッドクラウド環境上にある仮想マシンの管理方法にはパブリックとプライベートクラウドのそれぞれのマネジメントシステムがある。一台のパソコンに二つ以上のマネジメントシステムが共存できるが異なる環境上の仮想マシンを管理時二つのマネジメントシステムを使用するのは効率が低く、しかも異なる環境上の仮想マシンの移行もできない欠点があった。また、マネジメントシステムはパソコン動作環境に依頼するのでいつでも、どこでも管理することが難しい。本発明ではパブリッククラウドとプライベートクラウド、それぞれのインタフェースをミニサーバに実装する。一元化するハイブリッドクラウド環境に対応する独自WEB APIを開発しタブレットからの処理要求がミニサーバにて実行される。実行した結果は再度ミニサーバを経由し暗号化通信でクライアントに返事することを提案する。【選択図】図１
2012226671.tif 000002
【特許請求の範囲】
【請求項１】
公衆無線LANやハイブリッド環境上に構築されたミニサーバとバーチャルネットワーク接続されクラウド上の仮想マシンの作成や環境構築や管理などを行なう図２のように構成される携帯型のモバイル情報処理装置、以下タブレットと言う。
【請求項２】
ハイブリッド環境の管理、仮想マシンの動作状態の確認、仮想マシンの新規作成、環境管理、情報処理機能を有するタブレットと、前記タブレットと公衆無線LANを介して接続されたバーチャルプライベートネットワーク機能を有するミニサーバと、前記バーチャルプライベートネットワーク機能を有するミニサーバと無線公衆LANを介して接続されたパブリッククライド環境と、前記バーチャルプライベートネットワーク機能を有するミニサーバと社内LANを介して接続されたプライベートクラウド環境と、仮想マシンの監視、制御に関連する情報を処理するマネジメントシステムを備え、請求項１のタブレットは、ログイン時に割り当てられたハードウェアIDを前記ミニサーバに送信することにより管理画面を表示する手段と、状態確認ボタンがクリックされたとき、前記ミニサーバに接続されたハイブリッド環境の動作状況を表示する状態表示手段と、新規仮想マシンボタンがクリックされたとき、前記ミニサーバに接続されたハイブリッド環境上に仮想マシンを作成する作成手段と、仮想環境管理ボタンがクリックされたとき、前記作成する仮想マシンの削除、属性の編集、他環境への移行、動作停止を実行する管理手段と、自動化ボタンがクリックされたとき、セキュリティパッチリスト要求を前記ミニサーバに送信することにより、セキュリティパッチの注意事項と説明文を表示し、自動更新を行うセキュリティパッチ更新自動化手段と、を備えることを特徴とするモバイルハイブリッドマネジメントシステム。
【発明の詳細な説明】
【技術分野】
【０００１】
本発明はクラウドコンピューティング環境を利用するクラウド・サービスシステムに関するものである。
【背景技術】
【０００２】
「クラウドコンピューティング(cloud computing)」とは、コンピューティング機能をインターネットを通じ、ITサービスとして利用する形態を指している。つまり、パソコンのコンピューティングに必要なソフトウェア・アプリケーション、プラットフォーム、インフラ（ハードウェア）などの機能をユーザー側に置く必要がなく、インターネットからサービスとして提供してもらう形である。このクラウドコンピューティングの概念をモバイル業界に適用して考察すると、モバイルクラウドサービス及びクラウド端末を次のように定義できる。   
【０００３】
このようなモバイルのクラウド化を牽引している成長のドライバーは、無線ネットワークの高速化、クラウドコンピューティング技術の発展、オープンプラットフォームの普及、モバイル端末のUI及び性能の向上、多くのプレイヤーの参入などが挙げられる。 今後の市場予測としては、まず世界のモバイルクラウドサービスは、2010年に100の売上規模は、2014年には約400までに上がり、年平均（CAGR）、41.3%の高い成長率を達成すると予想される。
【先行技術文献】
【特許文献】
【０００４】
【特許文献１】特許出願２００９−１５４６００
【特許文献２】特許出願２００９−２０７３３５
【発明の概要】
【発明が解決しようとする課題】
【０００５】
本発明はクラウドコンピューティングを利用できるモバイルクラウド・サービスシステムを構築できるモバイル装置と多数・多様なユーザが利用できるサービスシステム環境を提供する。
【課題を解決するための手段】
【０００６】
従来技術では、ハイブリッドクラウド環境上にある仮想マシンの管理方法には、パブリックとプライベートクラウドのそれぞれのマネジメントシステムがある。一台のパソコンに二つ以上のマネジメントシステムが共存できるが、異なる環境上の仮想マシンを管理時、二つのマネジメントシステムを使用するのは効率が低く、しかも異なる環境上の仮想マシンの移行もできない欠点があった。また、マネジメントシステムはパソコン動作環境に依頼するので、いつでも、どこでも管理することが難しい。本発明では、パブリッククラウドとプライベートクラウド、それぞれのインタフェースをミニサーバに実装する。一元化するハイブリッドクラウド環境に対応する独自WEB APIを開発し、タブレットからの処理要求がミニサーバにて実行される。実行した結果は再度ミニサーバを経由し暗号化通信でクライアントに返事することを提案する。
【発明の効果】
【０００７】
モバイル環境に対応するハイブリッド環境上にある仮想マシンを管理する方法を提案し、固定場所と時間の制限がなく、一つのマネジメントシステムにて異なるクラウド上にある仮想マシンの新規作成、削除、属性編集および移行の管理が可能となる。
【図面の簡単な説明】
【０００８】
【図１】本発明によるモバイルクラウド構成図
【図２】タブレットの構成例
【図３】本発明によるモバイルハイブリッドマネジメントの実施例
【実施例】
【０００９】
公衆無線LANやハイブリッド環境上に構築されたミニサーバとバーチャルプライベートネットワーク接続されクラウド上の仮想マシンの作成や環境構築や管理などを行なう図２のようなハード構成のモバイル型情報処理装置は図１に示すとおりバーチャルプライベートネットワーク機能を有するミニサーバと、バーチャルプライベートネットワーク機能を有するミニサーバと無線公衆LANを介して接続されたパブリッククラウド環境とLANを介してプライベートクラウド環境と接続され、仮想マシンの監視や制御情報を処理するマネジメントシステムを行う。
【００１０】
タブレットはバーチャルプライベートネットワーク機能を有するミニサーバと社内LANを介して接続され、プライベートクラウド環境と、仮想マシンの監視、制御に関連する情報を処理する。制御処理の詳細を図3に示す。
【産業上の利用可能性】
【００１１】
本願はクラウドネットワーク環境にモバイルクラウドサービスを提供する装置とシステムを開発し、ユビキタスの大容量かつ高速通信環境を産業社会に普及する。
【符号の説明】
【００１２】
101  プライベートクラウドA
102  プライベートクラウドB
103  パブリッククラウドA
104  パブリッククラウドB
105  LAN
106   WAN
107  ミニサーバ
108  タブレット
201  表示パネル
202  インターフェース回路
203  CPU
204  無線LAN
205   LAN（VPN接続)
【図１】
2012226671.tif 000003
【図２】
2012226671.tif 000004
【図３】
2012226671.tif 000005